(57)【要約】【課題】どの方向からも筆記面に筆記でき、筆記時における筆圧により筆跡幅に変化をもたらすことが可能で、かつ筆記時に筆圧により各ペン先片が後退し、万年筆のペン先のように筆跡幅が変化可能な前記ペン先を得ることにある。【解決手段】一端側にインキ流出路５を設けた複数のペン先片３を有し、先端を先窄み状となるように集合した、各ペン先片３が撓み可能なペン体６を、インキを収容する軸筒の先端に連接可能な軸体８に装着した、インキ流通路１１と該インキ流通路１１に連通し外方に開口したスリット１６を有したペン体保持部材７の外周上に前後動可能に配する。ペン体保持部材７のスリット１６の周りの外壁面と各ペン先片３のインキ流出路５の周り内壁面との間に毛管作用によりインキ溜り部となる空間部１７が形成されるようにする。前記ペン体を、弾性体を介して前方方向に弾発するとともに、筆記時の筆圧により後方へ移動可能とする。【選択図】図２
2012040755.tif 000002
【特許請求の範囲】
【請求項１】
一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン体保持部材の外周上に、連接部を環状にして各ペン先片を環状に配列し、各ペン先片の先端を全体形状が先み状となるように集合し、かつ各ペン先片内にペン体保持部材の前方部が位置し、各ペン先片のインキ流出路が対向するペン体保持部材の前方部の外壁面と各ペン先片の内壁面との間に毛管作用によりインキ溜り部となる空間部を形成し、かつペン体保持部材に対して前後動可能に配し、ペン体を弾性体により前方方向に弾発するとともに、筆記時の筆圧により後方へ移動可能としたことを特徴とするペン先。
【請求項２】
前記ペン体保持部材の前方部に、各ペン先片に当接する当接部を設けるとともに、該当接部の前方のスリットを設けた部分の先端部の外径を、当接部の外径より小径としたことを特徴とする、請求項１に記載のペン先。
【発明の詳細な説明】
【技術分野】
【０００１】
本発明は、複数のペン先片を環状に配列し、各ペン先片の先端を全体形状が先窄み状となるように集合したペン先に関する。
【背景技術】
【０００２】
従来、どの方向からも筆記面に筆記できるペン先として、複数のペン先片を環状に配列して設けるとともに、各ペン先片の先端を全体形状が先窄み状となるように集合したペン先は知られている。
【０００３】
こうした構造のペン先として、例えば、特開平９−１５６２７９号公報により開示されている、筒形状の基部と、その一端側に、連続して断面円弧状に突出され、軸心の円周上に等間隔に相互の間にスリット状の溝を設けて形成された複数の櫛歯状片とからなり、各櫛歯状片の先端に全体として半球形状を構成する半球分割部を有するペン先基本体と、ペン先基本体の外周状に嵌合可能な筒形に形成され、複数の櫛歯状片を軸心方向に向けて押圧し、収束する収束部材とを備え、ペン先基本体に収束部材を嵌め込むことにより、ペン先基本体の複数の櫛歯状片をその先端方向に向けて漸次縮径する円錐形に収束し、その先端に半球状の筆記部を構成してなる構造のものがある。
【０００４】
また、特開２００３−３３５０８９号公報には、全体が先端方向に向けて漸次略円錐形に収束可能な複数に分離された櫛歯状片と、これら櫛歯状片を円周上に配列可能な保持部材と、これらの櫛歯状片を収束可能な収束部材とを備え、複数に分離された櫛歯状片が別体の保持部材及び収束部材により組み立てられてなる構造が開示されている。
【０００５】
ところで、万年筆におけるペン先では、筆記時における筆圧によりペン先の先端に形成された切割溝により先端が開き、紙面等の筆記面へインキを流出するための前記切割溝で構成されたインキ流出路の幅が広くなるので、筆跡幅に変化をもたらすことができるが、前記したような、複数のペン先片を環状に配列し、各ペン先片の先端を全体形状が先窄み状となるよう集合したペン先においては、筆記面へインキを流出するためのインキ流出路は、各櫛歯状片（ペン先片）間の隙間で構成しているために、筆記時における筆圧により各櫛歯状片（ペン先片）間の隙間量はあまり変化しないので、万年筆のように筆記時の筆圧により筆跡幅が変化することはなかった。また、前記構造のペン先では、筆記時の筆圧により各ペン先片が後退することがないので抑揚感がないという問題があった。
【先行技術文献】
【特許文献】
【０００６】
【特許文献１】特開平９−１５６２７９号公報
【特許文献２】特開２００３−３３５０８９号公報
【発明の概要】
【発明が解決しようとする課題】
【０００７】
本発明は前記事実に鑑みてなされたもので、どの方向からも筆記面に筆記できるように、複数のペン先片を環状に配列し、各ペン先片の先端を全体形状が先窄み状となるよう集合してなるペン先において、筆記時の筆圧によりペン先片が後退し、万年筆のペン先のように筆跡幅が変化可能で抑揚感のあるペン先を得ることにある。
【課題を解決するための手段】
【０００８】
本発明は、
「１．一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、インキを収容する軸筒の先端に連接可能な軸体に装着した、先窄み状の前方部を有し、軸筒内に収容したインキを先端に流出するためのインキ流通路と、先端部に一方をインキ流通路に連通し他方を外方に開口したスリットを有したペン体保持部材の外周上に、連接部を環状にして各ペン先片を環状に配列し、各ペン先片の先端を全体形状が先み状となるように集合し、かつ各ペン先片内にペン体保持部材の前方部が位置し、各ペン先片のインキ流出路が対向するペン体保持部材の前方部の外壁面と各ペン先片の内壁面との間に毛管作用によりインキ溜り部となる空間部を形成し、かつペン体保持部材に対して前後動可能に配し、ペン体を弾性体により前方方向に弾発するとともに、筆記時の筆圧により後方へ移動可能としたことを特徴とするペン先。
２．前記ペン体保持部材の前方部に、各ペン先片に当接する当接部を設けるとともに、該当接部の前方のスリットを設けた部分の先端部の外径を、当接部の外径より小径としたことを特徴とする、前記１項に記載のペン先。」
である。
【０００９】
本発明において、ペン先片保持部材に形成するインキ流通路は、軸心方向に延びた孔で構成しても良いし、さらに前記孔に繊維状のインキ誘導芯等を挿入して構成しても良く、軸筒内に収容したインキをペン体保持部材の先端部に確実に流出できればどのような構成でも良い。また、ペン体保持部材の先端部に形成するスリットの数は、１つでもあるいはペン先片の数だけ設けても良く、特に限定されないが、空間部にインキが充分に溜まるようにするには３つ以上設けるのが好ましい。
【００１０】
また、ペン体を弾性体により前方側に付勢するが、ペン体を直接に弾性体により前方側に付勢しても良いし、ペン体に他の部材を連動して移動可能に連接し、前記他の部材を前方側に付勢することによりペン体を前方側に付勢するようにしても良い。なお、弾性体とは、コイルスプリング等のばねや弾性を有する例えばゴム等の材質で形成したものや、蛇腹状に形成したもの等のことである。
【発明の効果】
【００１１】
本発明は前記したような構造なので、どの方向からも筆記面に筆記でき、筆記時における筆圧により各ペン先片の先端は切割溝により開くので、各ペン先片間の幅が拡がり筆跡幅に変化をもたらすことが可能であり、またペン体が筆記時の筆圧により後方に移動するので、筆記時における抑揚感を感ずることができる。
【００１２】
請求項２に係る発明とすることで、筆記時の筆記圧によりペン体が後退しても、各ペン先片のインキ流出路が対向するペン体保持部材の前方部の外壁面と各ペン先片の内壁面との間に毛管作用によりインキ溜り部となる空間部が、常に形成することができる。
【図面の簡単な説明】
【００１３】
【図１】本発明のペン先の実施例を示した、ペン先の斜視図である。
【図２】図１におけるペン先の内部構造の概略を示す、要部を断面した図である。
【図３】図２におけるＡ−Ａ線部分の拡大端面図である。
【図４】本実施例におけるペン体の斜視図である。
【図５】図２において、ペン体をペン体保持部材に対して後退させた状態を示す図である。
【図６】図１におけるペン先を装着した筆記具の具体例を示した、筆記具の内部構造の概略を示す要部を断面した図である。
【図７】図１におけるペン先を装着した筆記具の他の具体例を示した、筆記具の内部構造の概略を示す要部を断面した図である。
【発明を実施するための形態】
【００１４】
本発明のペン先は、一端側に撓み可能な複数のペン先片を有し、他端側を各ペン先片の後端を連接した連接部とし、各ペン先片の先端部に軸心方向に延び先端に開口した切割溝で形成したインキ流出路を有したペン体を、筆記時の筆圧により後方へ移動可能に配するとともに、弾性体を介して前方方向に弾発するものである。
【実施例】
【００１５】
本発明のペン先の実施例を、図１〜図５を用いて説明する。本実施例のペン先１は、
一端側に隙間２を介して複数のペン先片３を有し他端側を連接して連接部４とし、各ペン先片３の先端部に、軸心方向に延び先端に開口した切割溝で形成したインキ流出路５を有した撓み可能な金属製で平板状のペン体６と、前記ペン先片３を周状に配列してペン体６保持するためのペン体保持部材７と、インキを収容する軸筒（図示せず）の先端に連接可能な円筒状の軸体８と、ペン体６を前方方向に弾発するためのコイルスプリング９と円筒状の移動体１０とで構成されている。
【００１６】
ペン体保持部材７は、軸体８内に挿着可能な本体部７ａと前方に先窄み状で本体部７ａの外径より小径な前方部７ｂと後端（図２において右側方向）に本体部７ａの外径より大径な鍔部７ｃとで構成されており、ペン体保持部材７には軸筒内に収容したインキをペン体保持部材７の先端に流出するための前後に貫通した孔で形成したインキ流通路１１を設けてある。
【００１７】
軸体８は、内部形状が、前記ペン体保持部材７の本体部７ａが挿入可能な内径とした前方内部８ａと、前記ペン体保持部材７の鍔部７ｃが挿入可能な前記前方内部８ａの内径より大径な後方内部８ｂとで構成されており、軸体８の内部に前記ペン体保持部材７を、本体部７ａを前方内部８ａに挿入し、鍔部７ｃを後方内部８ｂに位置させて前方内部８ａの後端に当接して挿着してある。
【００１８】
ペン体６は、図４に示すように、連接部４を環状に形成して各ペン先片３を周状に配列してある。各ペン先片３はプレス等により内側に変形して略円錐状となるようにペン先片３の先端を集合して形成してある。このペン体６を、図２に示すようにペン体保持部材７の前方部７ｂが略円錐状の各ペン先片３内に位置し、ペン体保持部材７の本体部７ａの前方部（図において左側方向）に連接部４を遊嵌状態で挿入して配してある。
【００１９】
前記連接部４の外周上で軸体８の内部には、円筒状の移動体１０を、軸体８およびペン体保持部材７に対して前後に移動可能に配してある。前記移動体１０には、内方に向って突出したスプリング受け部１２を設けてあり、該スプリング受け部１２の前方端面１２ａをペン体６の連接部４の後端に当接してある。前記スプリング受け部１２の前方の移動体１０の内壁面にはガイド突起１３を接着剤等により固着してあり、該ガイド突起１３を、ペン体６の連接部４に設けた係止孔１４（図４を参照）に嵌合してペン体６を貫通してペン体保持部材７に突出し、ペン体保持部材７の外周面に設けた軸心方向に延びたガイド溝１５に係合させてある。こうした構造により、ペン体６および移動体１０はペン体保持部材７から抜け出すことがなく、かつペン体保持部材７に対して回動することなく前後動可能としてある。
【００２０】
また、前記移動体１０のスプリング受け部１２とペン体保持部材７の鍔部７ｃと間にコイルスプリン９を張架して、ペン体６および移動体１０を前方方向（図２において左側方向）に弾発してある。
【００２１】
ペン体保持部材７の前方部７ｂの先端部７ｂａには、インキ流通路１１に連通し軸径方向に放射状に延びて外方に開口したスリット１６を３つ設けてある。また、ペン体保持部材７のスリット１６の周りの外壁面と各ペン先片３のインキ流出路５の周り内壁面との間に毛管作用によりインキ溜り部となる空間部１７が形成されるように、スリット１６の後方（図２おいて右側方向）に、前方部７ｂの外壁面が各ペン先片３の内壁面に当接するように前方部７ｂに当接部１８を設けるとともに、スリット１６を設けた部分の前方部７ｂの先端部７ｂａの外径を、当接部１８の外径より小径としてある。
【００２２】
本実施例において軸体８は、本実施例のペン先１を装着する軸筒に着脱自在に装着できるように、雌ねじ部１９を設けて軸筒に着脱自在に装着可能としてあるが、軸筒に係る内部構造等や軸筒との装着構造については限定されるものではない。
【００２３】
本実施例のペン先１は、軸筒内に収容したインキをペン体保持部材７に形成したインキ流通路１１を通ってペン体保持部材７の先端部７ｂａに流出し、スリット１６を介して空間部１７にインキが溜り、インキ流出路５を通ってペン体６の先端にインキを充分に供給する。また、筆記時における筆圧により、図５に示すようにペン体６は後方へ移動し、ペン体６はコイルスプリング９により移動体１０を介して前方方向（図５において左側方向）に弾発されており、筆圧の強弱によりペン体の後退量も変わるので、万年筆のペン先のように筆記時における抑揚感を感ずることができる。
【００２４】
次に、本実施例のペン先１を装着した筆記具の具体例を図６および図７を用いて簡単に説明すると、図６に示す筆記具１０１は、例えば、軸筒１０２の内部に筆記用インキ（図示せず）を直に収容する構造のもので、軸筒１０２の内部をインキ収容部１０３とし、軸筒１０２の先端には、櫛溝１０４と前後端に開口して連通したインキ流出溝（図示せず）を有したペン芯１０５をペン芯保持部材１０６を介して装着してある。この軸筒１０２に、前記ペン先１をねじ嵌合により連接し、ペン芯１０５の前端をペン体保持部材７の鍔部７Ｃの後端に当接して、ペン芯１０５のインキ流出溝とインキ流通路１１を連通させることで、ペン体６の先端にインキを供給可能としてある。
【００２５】
図７に示す筆記具２０１は、例えば、前記ペン先１を装着する軸筒２０２は、櫛溝２０３と前後端に開口して連通したインキ流出溝（図示せず）を有し、後端にインキカートリッジ２０４を挿着した際にインキ流出防止用のための開口部を閉塞した蓋（図示せず）をずらして開口部を開口するための後方（図５において右側方向）に突出した突出部２０５を有したペン芯２０６をペン芯保持部材２０７を介して装着した前軸２０２ａと、該前軸２０２ａの後端に、ねじ嵌合により着脱自在に連接する、後端を閉塞し前記ペン芯２０６に挿着したインキカートリッジ２０４を収容可能な収容室２０８を有した後軸２０２ｂとで構成されている。前記したペン先１を前記前軸２０２ａに挿着するには、前軸２０２ａに装着したペン芯２０６の前端をペン体保持部材７の鍔部７Ｃの後端に当接して、ペン芯２０６のインキ流出溝とインキ流通路１１を連通させることで、ペン体６の先端にインキを供給可能としてある。
【産業上の利用可能性】
【００２６】
本発明は、どの方向からも筆記面に筆記できる無方向性のペン先において、ペン体を筆記時の筆圧により後方へ移動可能とした構造にしたい場合に適用できる。
【符号の説明】
【００２７】
１  ペン先
３  ペン先片
４  連接部
５  インキ流出路
６  ペン体
７  ペン体保持部材
８  軸体
９  コイルスプリング
１０  移動体
１１  インキ流通路
１６  スリット
１７  空間部
１８  当接部
【図１】
2012040755.tif 000003
【図２】
2012040755.tif 000004
【図３】
2012040755.tif 000005
【図４】
2012040755.tif 000006
【図５】
2012040755.tif 000007
【図６】
2012040755.tif 000008
【図７】
2012040755.tif 000009